(57)【要約】 【課題】回動軸を支点として回動しアーム開放速度を大幅アップした釣竿保持具を得る。【解決手段】イ）長手の底板と左右垂直に並立する側板とで断面溝形に形成され、側板の僅か前寄りに丸孔を有する支持部と、ロ）長手で僅か前寄り側面に丸孔を有するベース板の先端にその上面と前上がりに傾斜し釣竿後部の少なくとも下側半円部分を支持可能な正面視略Ｖ字形の二股片を有するガイドが連設され、ベース板上面の前後軸支板間にアーム回動軸が固着されているアーム支持材と、正面視及び背面視において左右対称に前後側に下端末合わせ部、中部弧状部及び上部直線部が立上がり空間部を囲繞し上端前後が連結部で連結され下端がアーム回動軸回りに回動可能なアームと、ベース板後端に固着されている重錘とを有する可動部と、ハ）各側板間にベース板をおき各丸孔に貫通されたベース回動軸回りにベース板を回動可能とするベース軸部とを備えている釣竿保持具。【選択図】図２
0003134308.tif 000002
【実用新案登録請求の範囲】
【請求項１】
イ）前後長手の底板と左右垂直に並立する側板とで断面溝形に形成され、該側板の僅か前寄りに丸孔を有する支持部と、ロ）前後長手で僅か前寄り側面に丸孔を有するベース板の先端にその上面と前上がりに傾斜し釣竿後部の少なくとも下側半円部分を支持可能な正面視略Ｖ字形二股片を有するガイドが連設され、該ベース板上面の前後軸支板間にアーム回動軸が固着されているアーム支持材と、正面視及び背面視において左右対称に前後側に下端末合わせ部、中部弧状部及び上部直線部が立上がり空間部を囲繞し上端前後が連結部で連結され下端が該アーム回動軸回りに回動可能なアームと、該ベース板後端に固着されている重錘とを有する可動部と、ハ）前記側板間においた前記ベース板を各丸孔に貫通されたベース回動軸回りに回動可能とするベース軸部とを備え、ニ）釣竿未使用時には前記ベース板は前記底板と略平行におかれ前記アームは左右離間し、ホ）前記釣竿後部を前記二股片におく釣竿使用時には前記ベース板は前記ベース回動軸を支点として前記底板に前下がりに傾斜し前記アームは左右接近し、前記二股片及び直線部により該釣竿後部が強固に保持され、ヘ）釣竿後部を前記二股片から持上げると前記重錘の加重により釣竿未使用時に急速に復帰可能とされていることを特徴とする釣竿保持具。
【請求項２】
請求項１に記載の釣竿保持具において、支持部は底板を廃して左右側板下部に長手方向に沿って複数のステーボルトを並列に渡して該各側板を間隔をおいて互いに固着し、ベース板は各ステーボルト上端を結ぶ平面に対し略平行又は前下がりに傾斜可能とされていることを特徴とする釣竿保持具。
【請求項３】
釣竿使用時において、各アームの上端を前側より後側に向けて連結している左右連結部によって平面視において略二等辺三角形状の間隙部が形成されていることを特徴とする請求項１又は２に記載の釣竿保持具。
【請求項４】
底板又は側板の後端部に固着された上向き、又はベース板の後端部下面に固着された下向きのストッパーを有し、釣竿未使用時において該ベース板の後端部の後下がり傾斜を阻止可能とされていることを特徴とする請求項１〜３のいずれかに記載の釣竿保持具。
【請求項５】
ベース板の底板に対する前下がり傾斜の角度は１０〜３０度にとられていることを特徴とする請求項１〜４のいずれかに記載の釣竿保持具。
【考案の詳細な説明】
【技術分野】
【０００１】
本考案は、魚釣りのときに釣竿を保持するのに好適な釣竿保持具の改良に関する。
【背景技術】
【０００２】
従来の釣竿保持具には各種のものがあるが、魚が餌に食付き始めてから針で釣り上げるまでの釣人による目視と主として手の俊敏な動作とのタイミング合わせが要求されるが、これ対して適格に適応するという見地からするとまだ満足すべきものは得られていない。  例えば、下記特許文献１に記載のものは釣竿支持部材２２として、
（１）脚２４ａには、支持棚３２を限定する位置に、外方に開いた略Ｕ字状の開口部３１が設けられ、支持棚３２を越えて伸びる直立アーム３３、３３が釣竿の柄１２の前部が横方向に動かないように制限している。
（２）桿状部材３６の一方端３７を直立脚２４ｂに設けられた穴４１を貫通したところで、下向きに折り曲げられ、桿状部材３６を直立脚２４ｂと係合した状態に保っている。
そして第３図及び第６図に示す、釣竿の柄１２が、開口部３４及び柄受け部３９に掛けられると、釣竿の重みで桿状部材３６は下方に下げられ、開口部３１と係合する。釣竿の柄１２を上に持ち上げ、釣竿支持部材２２から外せば、桿状部材３６は上方に旋回して、第７図の如く、開口部３１との係合が解かれる。
（３）桿状部材３６の周囲には、協同する前端部４３と後端部４４を各々有し、釣竿の柄１２を抱持する略半円弧状曲部を有する一対の固定部材４２、４２が回動自在に取り付けられている。
そして第３図及び第６図に示す、釣竿の柄１２が載置されると釣竿の重みで桿状部材３６は下方に下げられ、固定部材４２の前端部４３は固定部材４２、４２を互いに近づけ釣竿の柄１２を抱持する方向に旋回させる。
他方、釣竿の柄１２を上に持ち上げ、釣竿支持部材２２から外せば、桿状部材３６は上方に旋回して、第７図に示すように、後端部４４の重みで固定部材４２、４２は互いに遠ざけられ柄解放位置に廻動される。
【０００３】
【特許文献１】実開昭５９−１８８７２号公報
【考案の開示】
【考案が解決しようとする課題】
【０００４】
前記特許文献１に記載のものは、下記の課題を有している。
前記（１）の構成は、開口部３１及び直立アーム３３、３３の間隙は予め決まっており、釣竿の柄１２の太さの変化には対応できず、ガタで左右方向にぐらつくこととなる。
前記（２）の構成は、桿状部材３６の一方端３７を穴４１を貫通したところで、下向きに折り曲げられという単純なもので桿状部材３６の移動が左右にぐらつきやすく、置かれた釣竿が左右にふらつき不安定である、また上下左右変動が一箇所に集中し寿命が短い。  前記（３）の構成では、一対の固定部材４２、４２は後端部４４の重量のみで開放位置に廻動されるから速度が遅く、魚が餌に食付き始めてから針で釣り上げるまでの素早いタイミング合わせには反応が遅く不適切である。
これに対し本考案では、ガイド及びアーム直線部により釣竿の柄の太さの変化に柔軟に対応して釣竿を強固に固定でき、支持部の前寄りにおいた回動軸を支点として回動可能として左右のふらつきをなくし且つ寿命を永く保ち、アームの開放速度を自重に重錘を加重して大幅にアップ可能とした、簡易構造であるが使い勝手に優れている釣竿保持具を得ることを目的とする。
【課題を解決するための手段】
【０００５】
この目的を達成するために、請求項１の考案にあっては、イ）前後長手の底板と左右垂直に並立する側板とで断面溝形に形成され、該側板の僅か前寄りに丸孔を有する支持部と、ロ）前後長手で僅か前寄り側面に丸孔を有するベース板の先端にその上面と前上がりに傾斜し釣竿後部の少なくとも下側半円部分を支持可能な正面視略Ｖ字形二股片を有するガイドが連設され、該ベース板上面の前後軸支板間にアーム回動軸が固着されているアーム支持材と、正面視及び背面視において左右対称に前後側に下端末合わせ部、中部弧状部及び上部直線部が立上がり空間部を囲繞し上端前後が連結部で連結され下端が該アーム回動軸回りに回動可能なアームと、該ベース板後端に固着されている重錘とを有する可動部と、ハ）前記側板間においた前記ベース板を各丸孔に貫通されたベース回動軸回りに回動可能とするベース軸部とを備え、ニ）釣竿未使用時には前記ベース板は前記底板と略平行におかれ前記アームは左右離間し、ホ）前記釣竿後部を前記二股片におく釣竿使用時には前記ベース板は前記ベース回動軸を支点として前記底板に前下がりに傾斜し前記アームは左右接近し、前記二股片及び直線部により該釣竿後部が強固に保持され、ヘ）釣竿後部を前記二股片から持上げると前記重錘の加重により釣竿未使用時に急速に復帰可能とされている釣竿保持具により解決した。
請求項２の考案にあっては、請求項１に記載の釣竿保持具において、支持部は底板を廃して左右側板下部に長手方向に沿って複数のステーボルトを並列に渡して該各側板を間隔をおいて互いに固着し、ベース板は各ステーボルト上端を結ぶ平面に対し略平行又は前下がりに傾斜可能とされている釣竿保持具とすることができる。
請求項３の考案にあっては、釣竿使用時において、各アームの上端を前側より後側に向けて連結している左右連結部によって平面視において略二等辺三角形状の間隙部が形成されている請求項１又は２に記載の釣竿保持具とするのが好ましい。
請求項４の考案にあっては、底板又は側板の後端部に固着された上向き、又はベース板の後端部下面に固着された下向きのストッパーを有し、釣竿未使用時において該ベース板の後端部の後下がり傾斜を阻止可能とされている請求項１〜３のいずれかに記載の釣竿保持具とするのが好ましい。
請求項５の考案にあっては、ベース板の底板に対する前下がり傾斜の角度は１０〜３０度にとられている請求項１〜４のいずれかに記載の釣竿保持具とするのが好ましい。
【考案の効果】
【０００６】
本考案の釣竿保持具によれば、ガイド及びアーム直線部により釣竿の柄の太さの変化に柔軟に対応して釣竿を強固に固定でき、支持部の前寄りにおいた回動軸を支点として回動可能として左右のふらつきをなくし且つ寿命を永く保ち、アームの開放速度を自重に重錘を加重して大幅にアップ可能とした、簡易構造であるが使い勝手に優れるという顕著な効果を有する。
【考案を実施するための最良の形態】
【０００７】
本考案の実施の形態を図面を参照して説明する。
図１は、本考案の一例の釣竿保持具の釣竿未使用時における斜視図で、（ａ）後方視及び（ｂ）前方視の状態を示す。
図２は、図１の釣竿保持具の釣竿使用時における斜視図で、（ａ）後方視及び（ｂ）前方視の状態を示す。
図３は、図１の釣竿保持具の釣竿未使用時における概略図で、（ａ）支持部及び可動部の側面図、（ｂ）全体の組み立て側面図、及び（ｃ）前記（ｂ）の正面図である。
図４は、図１の釣竿保持具の可動部の一部を示す背面図で、（ａ）釣竿未使用時における状態、及び（ｂ）釣竿使用時における状態である。
図５は、図２に示す釣竿使用時における釣竿保持具上部の一部平面図である。
以下の説明では、釣竿保持具に釣竿を使用する場合の餌、針を付ける釣竿先端側を前とし、釣人が把持する釣竿後部側を後とし、後から前を見て左右として説明する。
【０００８】
図１、３を参照して本考案の一例の釣竿保持具１の構成を説明する。
釣竿保持具１は、支持部２、可動部３及びベース軸部４よりなっている。この釣竿保持具１の各構成材としては、金属、硬質プラスチック又は繊維強化プラスチックなどを単独又は組合わせて用い得るが、特に耐蝕性の面からステンレス又は表面にメッキや樹脂コーティングを施した金属を用いるのが好ましい。
支持部２は平坦で前後長手の底板２１と、底板２１の左右に垂直に並立する側板２２、２２とで断面溝形に形成され、側板２２、２２の僅かに前後中心より前寄り位置に丸孔２２ａ、２２ａが中心を向合せて穿設されている。
必要により、底板２１の底面には、支持部固定孔２１ａが上下に貫通され雌ねじを設ける場合がある。詳細は後述するが、釣り場における釣竿保持具１の位置決めは支持部２の底板２１を基台Ｆに固着具によって固定する。この基台Ｆとしては、例えば架台、三脚、基礎、船の一部構造体などで、その表面は水平面に限定されず、釣り場の条件に対応して傾斜面であってもよいが、以下の説明においては、水平面の例において説明する。ここの支持部固定孔２１ａは、底板２１の基台Ｆとの固着に利用される。
また底板２１の後端部にストッパー２３を上向きに固着することにより、釣竿未使用時において、後述する組立てられたベース板３１の後端部が後下がりに傾斜するのを阻止し水平に保持するのに有効であり好ましい。このストッパー２３は、端面平坦なブロック状体、頭付きねじなどが用いられ、底板２１以外に側板２２後端部に上向きに固着してもよく、またはベース板３１の後端部下面に下向きに固着してもよい。
【０００９】
可動部３は、ベース板３１、ガイド３２、アーム支持材３３、アーム３４及び重錘３５を有している。
ベース板３１は、平坦前後長手短冊状で、前後中心より僅かに前寄り位置側面に丸孔３１ａが貫通され、該ベース板３１の先端にその上面と前上がりに傾斜し角度αにとって正面視略Ｖ字形の二股片を有するガイド３２が連設されている。ベース板３１とガイド３２は互いに固着でも一体に形成してもよい。丸孔３１ａは、後述するベース回動軸４１に対し回動可能な大きさにとられている。
ガイド３２の略Ｖ字形は、通常の使用範囲における釣竿後部Ａの断面円形（直径ｄ）の少なくとも下側半円部分がガイド３２の二股片頂部を結んだ線以下において支持可能な大きさにとられ、これにより釣竿後部Ａ前側はガイド３２に強固に把持され左右ぶれが確実に防止可能となっている。
アーム支持材３３は、ベース板３１と略同幅の前後長手短冊状の基板３３ａと該基板３３ａの前後に垂直に並立する軸支板３３ｂ、３３ｂとで側面視略コ字形に形成され、軸支板３３ｂ、３３ｂの対向位置に丸孔が中心を向合せて穿設されアーム回動軸３３ｃが前後端を該丸孔に固着支持される。基板３３ａはその前後中心位置が、丸孔３１ａの中心位置と概ね一致するようにしてベース板３１上面の僅か前寄り位置に固着されている。
アーム３４は硬質の線材又は棒材製で、図１、３、４（ａ）に示す釣竿未使用時には開放状態におかれ、図２、４（ｂ）に示す釣竿使用時には閉鎖状態におかれ、それぞれの状態に適応する形状に変化するが、前側と後側が中間の連結部３４ｄ、３４ｄによって連結されている。
閉鎖状態にあるアーム３４の前側は、正面視において左右対称で、前下端末の合わせ部３４ａ、３４ａから、中部の弧状部３４ｂ、３４ｂ、及び上部の直線部３４ｃ、３４ｃとがそれぞれ大きく後向きに連続して立上がり，空間部を囲繞して形成されるが、このとき直線部３４ｃ、３４ｃ上端は完全に合わせられず左右僅かな間隔をおいて正面視略山形状におかれる。またアーム３４の後側は、背面視において左右対称で、後下端末の合わせ部３４ｇ、３４ｇから、中部の弧状部３４ｆ、３４ｆ、及び上部の直線部３４ｅ、３４ｅとがそれぞれ僅かに前向きに連続して立上がり，空間部を囲繞して形成されるが、このとき直線部３４ｅ、３４ｅ上端は左右間隔なく合わせられ背面視略山形状におかれる。
そして、左右の各直線部３４ｃ及び３４ｅは直線状の連結部３４ｄ、３４ｄによってそれぞれ連結され、前側と後側が一体で変動可能とされるが、前記したとおり直線部３４ｃ、３４ｃ上端は僅かな間隔をおかれ、直線部３４ｅ、３４ｅ上端は間隔なく合わせておかれているため、連結部３４ｄ、３４ｄによって前側より後側に向けて図５に示すとおり平面視において、略二等辺三角形状間隙部が形成される。また、合わせ部３４ａ、３４ａは両者を前後に重ね合わせてアーム回動軸３３ｃの前端部に貫通し回動可能とされ、合わせ部３４ｇ、３４ｇは両者を前後に重ね合わせてアーム回動軸３３ｃの後端部に貫通し回動可能とされ、それぞれ軸支板３３ｂ、３３ｂの近接位置に組立てられる。組立てられたアーム３４は、アーム回動軸３３ｃ回りに合わせ部３４ａ、３４ｇを起点とし、閉鎖状態から開放状態又はその逆に回動可能とされるが、その詳細については後述する。
重錘３５は、ベース板３１上面の後端に固着され、その形状は限定されないが例えばブロック状にとられ、その重量は釣竿保持具１の組立て時において他の構成要素とバランスをとって選択される。
【００１０】
ベース軸部４は、図３（ｃ）を参照し、側板２２、２２の丸孔２２ａ、２２ａを貫通するベース回動軸４１と固着具４３とを有し、必要により側板２２、２２との間の間隙に中間材４２、４２を介在させている。ここの例ではベース回動軸４１には頭付ボルトを用い、固着具４３にはナット及びワッシャーを用いて丸孔２２ａ、２２ａにベース回動軸４１を固着しているがこれに限定されず、頭付ボルトに代えてリベットを用い頭をかしめて固着してもよいし、丸孔２２ａ、２２ａに溶着などによって固着してもよい。中間材４２、４２は、通常円筒状カラー又はワッシャーなどが用いられる。
そして、ベース回動軸４１は側板２２、２２の間に長手方向におかれたベース板３１の丸孔３１ａに貫通され、ベース板３１はベース回動軸４１を支点として回動可能とされる。詳細後述するとおり、閉鎖状態ではベース板３１の長手方向が底板２１に対し下向きの矢印Ｘ方向に角度βだけ前下がり勾配に傾斜し、又開放状態では矢印Ｘと反対方向に回動しベース板３１の長手方向が底板２１に対し略平行におかれる。
角度βは通常１０〜３０度に選定するのが好ましい。その理由は、詳細後述するアーム３４の閉鎖状態から開放状態への復帰にあたり、角度βがこれより小さいと、該復帰を円滑に行うためには、ベース板３１の支点となる位置を後へずらして前部長さを長くとらねばならず重くなるが、そのバランスからベース板３１の後部長さを延長するか、重錘３５を大幅に重くするかせねばならず装置が大型化する。また角度βがこれより大きいと、釣竿を持上げる動作を大きくとらねばならず操作性が劣ることとなるからである。
【００１１】
次に図１乃至３を参照して、釣竿保持具１の組立てを説明する。
先ず可動部３は、ベース板３１上面に丸孔３１ａとアーム支持材３３の基板３３ａの前後中心が概ね一致するような位置に基板３３ａを固着し、ベース板３１上面後端に重錘３５を固着する。
次に、アーム支持材３３にアーム３４を組み付けるが、アーム３４の合わせ部３４ａ、３４ａを前後重ね合わせてアーム回動軸３３ｃの前端部を貫通し、合わせ部３４ｇ、３４ｇは前後重ね合わせてアーム回動軸３３ｃの後端部を貫通すると共に、アーム回動軸３３ｃ前後端をそれぞれ軸支板３３ｂ、３３ｂに固着することにより、アーム回動軸３３ｃ回りに各合わせ部３４ａ、３４ｇを起点としてアーム３４が閉鎖状態から開放状態に又はその逆に回動可能におかれ、可動部３の組み立てが完了する。
最後に、可動部３を支持部２にベース軸部４を介して組立てる。支持部２の側板２２、２２の間の長手方向に沿って可動部３のベース板３１を長手方向をおき、ベース軸部４の回動軸４１をベース板３１の丸孔３１ａに貫通し、必要によりベース板３１と側板２２、２２との間の間隙に中間材４２、４２を介在させ、固着具４３を用いてベース軸部４の両端部を丸孔２２ａ、２２ａと固着することにより、ベース板３１はベース回動軸４１を支点として回動可能となり釣竿保持具１の組立てが完了する。
重錘３５の荷重はベース回動軸４１の支点の前側におかれる各構成要素の重量とその重心の支点からの長さと、支点の後側におかれる各構成要素（重錘３５を含む）の重量とその重心の支点からの長さとバランスをとり、移動速度に最もウエートをおいて選択する。  
【００１２】
次に図１乃至５を参照して、釣竿保持具１の作動を説明する。
先ず釣り場を選定して、支持部２の底板２１下面を基台Ｆに図示省略するボルト、木ねじ、クランプなどの固着具によって固定し、釣竿保持具１の位置決めをする。支持部固定孔２１ａは基台Ｆとの固定をボルトなどによって行う場合に用いられ、雌ねじがある場合は基台Ｆより立てた雄ねじ部と螺合する。基台Ｆ表面は水平面に限定されず、釣り場の条件により傾斜面であってもよいが、ここでは水平面の例によって説明する。
（イ）釣竿未使用時［図１、３、４（ａ）参照］
このとき可動部３はベース板３１の長手方向が支持部２の底板２１と略平行におかれている。アーム３４は、正面視においては図３（ｃ）に示すとおり、弧状部３４ｂ、３４ｂ及び直線部３４ｃ、３４ｃは左右に大きく離間し空間部が拡大して形成され、背面視においては図４（ａ）に示すとおり、弧状部３４ｆ、３４ｆ及び直線部３４ｅ、３４ｅは左右に大きく離間し空間部が拡大して形成され、開放状態におかれて待機する。このとき各弧状部３４ｂ、３４ｆの下側は側板２２、２２上面に当接している。
（ロ）釣竿使用時［図２、４（ｂ）参照］
前記（イ）の状態で待機している釣竿保持具１において、ガイド３２より前側に図示省略する釣竿前部及び中間部Ｂをおき、ガイド３２の二股片に釣竿中間部Ｂに続く釣竿後部Ａをおくと、釣竿前部及び中間部Ｂの重量が釣竿後部Ａの重量より大きいので、可動部３はベース板３１の長手方向が支持部２の底板２１に対し下方の矢印Ｘ方向に角度βだけ前下がり勾配に傾斜しておかれる。
このときアーム３４の前側は、前方視において図２（ｂ）に示すとおり、弧状部３４ｂ、３４ｂ及び直線部３４ｃ、３４ｃは左右接近し縮小された空間部を囲繞し、左右直線部３４ｃ、３４ｃは略山形状に形成しておかれる。またアーム３４の後側は、後方視において図２（ａ）及び背面視において図４（ｂ）に示すとおり、弧状部３４ｆ、３４ｆは左右接近し直線部３４ｅ、３４ｅ上端は密着し、縮小された空間部を囲繞し、直線部３４ｅ、３４ｅは略山形状に形成されて、閉鎖状態におかれる。このとき弧状部３４ｂ、３４ｂの下側は側板２２、２２上面に当接しているが、弧状部３４ｆ、３４ｆの下縁側は側板２２、２２上面から上方に離隔しておかれている。
その結果、釣竿後部Ａの前下側はガイド３２の略Ｖ字形の二股片に挟まれ、釣竿後部Ａの後上側はアーム３４の略山形状の直線部３４ｃ、３４ｃ及び３４ｅ、３４ｅに押さえられて、前記ベース板３１の前下がり勾配と同じ角度βの傾斜位置において強固に保持され釣竿は左右ふらつきがなく、図示省略するが釣竿先端に装着された針と餌を水中に安定的に保持して釣りが円滑に行える。
【００１３】
（ハ）釣竿の魚釣り上げ時［図２、３（ｃ）、４、５参照］
魚が餌に食付き始めてたとき釣人は目視によりタイミングを合わせて釣竿後部Ａの端末部を把持し、釣竿後部Ａを僅かに上方に持上げると図３（ｃ）に示すとおり、ガイド３２の二股片に挟まれていた釣竿後部Ａが僅かに上方に離れた瞬間に、前下がり傾斜状態にあったベース板３１は後端に固着されている重錘３５及びアーム３４の後側の荷重によってベース回動軸４１を支点として矢印Ｘと反対方向の上向きに急速に回動し、ベース板３１の長手方向が支持部２の底板２１と略平行状態に復帰する。それと共に、弧状部３４ｂ、３４ｂの下縁側が側板２２、２２上端に案内されることにより、アーム３４は前後共左右が大きく離間し空間部が拡大して、閉鎖状態から前記（イ）の釣竿未使用時の開放状態に復帰し、釣竿全体を持上げるのに妨げとなるものは存在しない。
この復帰の作動において、アームの開放速度は自重と重錘の加重によって大幅にアップ可能であり、魚釣り上げ開始時点から急速且つ確実に行われるので、釣人によるタイミング合わせに極めて効果的である。
なお、アーム３４の連結部３４ｄ、３４ｄによって図５に示すとおり前側より後側に向けて形成されている略二等辺三角形状間隙部の存在によって、釣竿後部Ａを僅かに上方に持上げるときに該間隙部を通すことにより確実に遂行することができる。
前記（イ）の釣竿未使用時の状態に復帰後は、再度前記（ロ）、（ハ）の順の作動を繰り返すことにより爾後の魚釣りが同様に続行可能とされる。
【００１４】
前記詳述した釣竿保持具１では、釣竿使用時においてアーム３４の連結部３４ｄ、３４ｄによって前側より後側に向けて略二等辺三角形状間隙部が形成されているが、図示省略する簡略例として、直線部３４ｃ及び３４ｅ共上端を左右の間隔なく合わせ該間隙部をなくす構成としても本考案の目的は達成できる。
また、前記支持部２では前後長手の底板２１に左右垂直に側板２２、２２が並立されているが、図示省略する底板２１を廃して側板２２、２２の下部長手方向に沿って複数のステーボルト（両端にねじを切ってあるボルト、控えボルトともいう）を並列に渡して側板２２、２２を間隔をおいて互いに固着することとしてもよい。このとき、ベース板３１は各ステーボルト上端を結ぶ平面に対し略平行又は前下がりに傾斜することとなる。そして、前記ストッパー２３は側板２２、２２後端部に固着することによりベース板３１後端部が後下がりに傾斜するのを阻止するのに有効であり好ましい。またストッパー２３をベース板３１の後端部下面に下向きに固着しステーボルトに当接させることとしてもよい。  
【産業上の利用可能性】
【００１５】
本考案は、釣り場、川釣り、海釣りのいずれにおいても幅広く有効に使用可能である。
【図面の簡単な説明】
【００１６】
【図１】本考案の一例の釣竿保持具の釣竿未使用時における斜視図で、（ａ）後方視及び（ｂ）前方視の状態を示す。
【図２】図１の釣竿保持具の釣竿使用時における斜視図で、（ａ）後方視及び（ｂ）前方視の状態を示す。
【図３】図１の釣竿保持具の釣竿未使用時における概略図で、（ａ）支持部及び可動部の側面図、（ｂ）全体の組み立て側面図、及び（ｃ）前記（ｂ）の正面図である。
【図４】図１の釣竿保持具の可動部の一部を示す背面図で、（ａ）釣竿未使用時における状態、及び（ｂ）釣竿使用時における状態である。
【図５】図２に示す釣竿使用時における釣竿保持具上部の一部平面図である。
【符号の説明】
【００１７】
１  釣竿保持具
２  支持部
２１  底板
２２  側板
２２ａ、３１ａ  丸孔
３  可動部
３１  ベース板
３２  ガイド
３３  アーム支持材
３３ａ  基板
３３ｂ  軸支板
３３ｃ  アーム回動軸
３４  アーム
３４ａ、３４ｇ  合わせ部
３４ｂ、３４ｆ  弧状部
３４ｃ、３４ｅ  直線部
３４ｄ  連結部
３５  重錘
４  ベース軸部
４１  ベース回動軸
４２  中間材
α、β  角度
Ａ  釣竿後部
【図１】
0003134308.tif 000003
【図２】
0003134308.tif 000004
【図３】
0003134308.tif 000005
【図４】
0003134308.tif 000006
【図５】
0003134308.tif 000007